(57)【要約】
【課題】プルトップ式の飲料用缶において、飲み口（注ぎ口）を視認しなくても、缶の外周側面を把持することにより、飲み口（注ぎ口）が確認できる飲料用缶を提供する。
【解決手段】自動販売機や販売店で販売されている清涼飲料水やビールを充填したプルトップ式の飲料缶本体２の外周側面３の上下方向に、人指の触感で感知できる厚みを有する３本の突条４を、飲料缶本体２の飲み口５に近い側（プルタブ７に遠い側）の外周側面３の上下方向に、飲料缶本体２上面の缶蓋８外縁近傍の位置から飲料缶本体２の缶底９の外縁近傍の位置まで、それぞれの突条４を並設して形成する。
【選択図】図１
0003100147.tif 000002
【実用新案登録請求の範囲】
【請求項１】
　上面にプルトップ式の缶蓋を有する飲料用缶であって、
該飲料用缶外周側面の一定範囲の上下方向に、人指の触感で感知可能な厚みを有する突条を複数形成したことを特徴とする飲料用缶。
【請求項２】
　上面にプルトップ式の缶蓋を有する飲料用缶であって、
該飲料用缶外周側面の一定範囲の上下方向に、人指の触感で感知可能な厚みを有する突起を複数形成したことを特徴とする飲料用缶。
【請求項３】
　上面にプルトップ式の缶蓋を有する飲料用缶であって、
該飲料用缶外周側面の一定範囲の上下方向に、人指の触感で感知可能な厚みを有する複数の凸部が形成されたシールを貼着したことを特徴とする飲料用缶。
【考案の詳細な説明】
【技術分野】
【０００１】
　本考案は、清涼飲料水やビールなどの飲料水が充填されるプルトップ式の飲料用缶に関するものである。
【背景技術】
【０００２】
　従来、清涼飲料水やビールなどの飲料水が充填されるプルトップ式の飲料用缶は、上面のプルトップ式の缶蓋に形成されたプルタブを人指で引き起こして飲み口（注ぎ口）を開封し、外周側面を把持したまま、飲み口を直接口に当てて飲料を飲んだり、あるいは、コップなどに注いだりして使用される。
【０００３】
　しかし、把持する飲料用缶の外周側面が、シーム（缶外周側面の継ぎ目）を人指の触感で感知できない程のシームレスに形成されているため、例えば、車両の運転中に、運転者の手の届く範囲内に設けられた缶ホルダーに保持された飲料用缶を、安全のため視線を飲料用缶に移さずに把持し、この把持した手だけで飲み口を特定することは、非常に困難である。また、一旦、缶の飲み口が特定できるように飲み口の方向を決めて缶ホルダーで保持したとしても、車両の走行中の振動で缶が回転して、缶を把持した手だけでは飲み口が特定できなくなる。缶の飲み口を特定せずに飲用すると、飲料水がこぼれて衣服や車内の内装を汚してしまい、運転者があわてるために、ハンドル操作やブレーキ操作などに不要な操作が行われ不安全である。特に、夜間の運転中においては、缶の飲み口を視認により特定しようとして、運転者の進行方向への視線が飲料用缶の方に移る虞がある。
【０００４】
　車両の運転中以外の状況であっても、夜間や暗所においては、飲料用缶の外周側面を把持しただけでは飲み口の方向が確認しずらいので、缶蓋を人指で触って飲み口を探したり、あるいは、明るい場所へ移動して飲み口を視認して確認しなければならない。
【０００５】
　また、目の不自由な人の場合においても、飲料用缶の外周側面を把持しただけでは飲み口の方向が確認できないので、缶蓋を人指で触って飲み口を探さなければならない。
【考案の開示】
【考案が解決しようとする課題】
【０００６】
　解決しようとする問題点は、飲料用缶の外周側面を把持しただけでは、飲み口（注ぎ口）が確認できないという点である。
【課題を解決するための手段】
【０００７】
　このため、本考案は、上面にプルトップ式の缶蓋を有する飲料用缶であって、
該飲料用缶外周側面の一定範囲の上下方向に、人指の触感で感知可能な厚みを有する突条を複数形成したことを第１の特徴とする。
【０００８】
　また、上面にプルトップ式の缶蓋を有する飲料用缶であって、
該飲料用缶外周側面の一定範囲の上下方向に、人指の触感で感知可能な厚みを有する突起を複数形成したことを第２の特徴とする。
【０００９】
　さらに、上面にプルトップ式の缶蓋を有する飲料用缶であって、
該飲料用缶外周側面の一定範囲の上下方向に、人指の触感で感知可能な厚みを有する複数の凸部が形成されたシールを貼着したことを第３の特徴とする。
【考案の効果】
【００１０】
　本考案の飲料用缶は、外周側面の一定範囲の上下方向に、人指の触感で感知可能な厚みを有する突条、又は、人指の触感で感知可能な厚みを有する突起、又は、人指の触感で感知可能な厚みを有する凸部が形成されたシールなどが設けられるため、缶の外周側面を把持した際に、前記突条、又は、突起、又は、シールなどを缶の外周側面を把持している手（人指、掌）の触感で感知することによって、飲み口（注ぎ口）の方向を確認できるという利点がある。特に、車両の運転中の飲用の場合、本考案に係る飲料用缶を車内に設置された缶ホルダーに保持しておくことで、視線を飲料用缶に移すことなく、缶を把持した手の人指の触感によって従来以上に飲み口の確認がし易くなるために、安全運転にすぐれた効果を有する。
【考案を実施するための最良の形態】
【００１１】
　以下、本発明を実施するための最良の形態を図面に示す実施例に基づいて説明する。
【実施例１】
【００１２】
　図１は、本考案に係る実施例１の飲料用缶の斜視図である。図１に示すように、本考案に係る実施例１の飲料用缶１は、自動販売機や販売店で販売されている清涼飲料水やビールを充填したプルトップ式の飲料缶本体２の外周側面３の上下方向に、突条４を３本並設形成したものである。飲料缶本体２は、アルミニウムで円筒形に形成され、上面に飲み口（注ぎ口）５、飲み口蓋６、プルタブ７からなるプルトップ式の缶蓋８が形成されている。半円柱形状に形成された突条４は、人指の触感で感知できる厚みを有し、飲料缶本体２の飲み口５に近い側（プルタブ７に遠い側）の外周側面３の上下方向に、飲料缶本体２上面の缶蓋８外縁近傍の位置から飲料缶本体２の缶底９の外縁近傍の位置まで、それぞれの突条４が並設して形成されている。ここで、突条４の本数は３本に限定されず、複数の突条が形成されれば良い。但し、例えば、多数の突条４を飲料用缶１の外周側面３の全面に形成すると、飲み口５と突条４との位置関係が判別できず、飲み口５の方向が特定できなくなるので、突条４は、飲み口５の方向が特定できるように、外周横方向の突条４が形成されない範囲よりも狭い一定範囲に形成される。また、突条４の形状は、角柱形状でも構わないが、本実施例のように、触感が良好な半円柱形状が好ましい。尚、突条４は、飲料缶本体２と一体に形成されてもよく、また、飲料缶本体２が形成された後に溶接、接着、貼着などにより外周側面３に取り付けられたものでも構わない。
【００１３】
　このように形成することにより、例えば、本考案の飲料用缶１のプルタブ７を人指で引き起こして飲み口蓋６を開封し、左手で通常の方法で把持した際に、飲料用缶１を外周側面３横方向に回転させることにより、突条４を、少なくとも、掌、親指、人差し指、中指、薬指、小指のいずれかで感知することができる。通常の把持方法であれば、親指側に飲み口５を向けて使用する。突条４は飲み口５側に形成されているので、親指で突条４を感知する位置まで、飲料用缶１を外周側面３横方向に回転させる。このようにして、親指側に飲み口５が向くように操作すれば、目の不自由な人や、暗夜・暗所などの場合に飲み口５が視認不可能でも、また、車両の運転中に視線を飲料用缶１の方へ移すことなく、飲料用缶１を把持した手だけで飲み口５の位置が確認できる。
【実施例２】
【００１４】
　図２は、本考案に係る実施例２の飲料用缶の斜視図である。図２に示すように、本考案に係る実施例２の飲料用缶１ａは、自動販売機や販売店で販売されている清涼飲料水やビールを充填したプルトップ式の飲料缶本体２の外周側面３の上下方向に、突起４ａを３列に配列して形成したものである。飲料缶本体２は、アルミニウムで円筒形に形成され、上面に飲み口（注ぎ口）５、飲み口蓋６、プルタブ７からなるプルトップ式の缶蓋８が形成されている。半球形状に形成された突起４ａは、人指の触感で感知できる厚みを有し、飲料缶本体２の飲み口５に近い側（プルタブ７に遠い側）の外周側面３の上下方向に、飲料缶本体２上面の缶蓋８外縁近傍の位置から飲料缶本体２の缶底９の外縁近傍の位置まで、それぞれの突起４ａが３列に、且つ、隣り合う２列の突起４ａがジグザグに配置されるように形成されている。ここで、突起４ａの列は３列に限定されず、複数の列が形成されれば良い。但し、例えば、多数の突起４ａを飲料用缶１ａの外周側面３の全面に形成すると、飲み口５と突起４ａとの位置関係が判別できず、飲み口５の方向が特定できなくなるので、突起４ａは、飲み口５の方向が特定できるように、外周横方向の突起４ａが形成されない範囲よりも狭い一定範囲に形成される。また、突起４ａの形状は、角部を有する形状でも代用可能であるが、本実施例の半球形状のように、角部がなく丸みのあり、触感の良い形状が好ましい。尚、突起４ａは、飲料缶本体２と一体に形成されてもよく、また、飲料缶本体２が形成された後に溶接、接着、貼着などにより外周側面３に取り付けられたものでも構わない。
【００１５】
　このように形成することにより、例えば、本考案の飲料用缶１ａのプルタブ７を人指で引き起こして飲み口蓋６を開封し、左手で通常の方法で把持した際に、飲料用缶１ａを外周側面３横方向に回転させることにより、突起４ａを、少なくとも、掌、親指、人差し指、中指、薬指、小指のいずれかで感知することができる。通常の把持方法であれば、親指側に飲み口５を向けて使用する。突起４ａは飲み口５側に形成されているので、親指で突起４ａを感知する位置まで、飲料用缶１ａを外周側面３横方向に回転させる。このようにして、親指側に飲み口５が向くように操作すれば、目の不自由な人や、暗夜・暗所などの場合に飲み口５が視認不可能でも、また、車両の運転中に視線を飲料用缶１の方へ移すことなく、飲料用缶１を把持した手だけで飲み口５の位置が確認できる。
【実施例３】
【００１６】
　図３は、本考案に係る実施例３の飲料用缶の斜視図である。図３に示すように、本考案に係る実施例３の飲料用缶１ｂは、自動販売機や販売店で販売されている清涼飲料水やビールを充填したプルトップ式の飲料缶本体２の外周側面３の上下方向に、複数の凸部４ｃが複数一体形成されたシール４ｂを貼着したものである。飲料缶本体２は、アルミニウムで円筒形に形成され、上面に飲み口（注ぎ口）５、飲み口蓋６、プルタブ７からなるプルトップ式の缶蓋８が形成されている。シール４ｂは、長方形に形成され、飲料缶本体２の飲み口５に近い側（プルタブ７に遠い側）の外周側面３の上下方向に、飲料缶本体２上面の缶蓋８外縁近傍の位置から飲料缶本体２の缶底９の外縁近傍の位置まで貼着されている。このシール４ｂには、人指の触感で感知できる厚みを有する凸部４ｃが、シール４ｂの長手方向に３列に複数一体形成されており、且つ、前記突起４ａの配列と同様に、上下方向の隣り合う２列の凸部４ｃがジグザグに並列配置されている。この凸部４ｃの列数は、３列に限定されるものではなく、複数の列で配置されればよい。但し、例えば、多数のシール４ｂを飲料用缶１ｂの外周側面３の全面に貼着すると、飲み口５とシール４ｂとの位置関係が判別できず、飲み口５の方向が特定できなくなるので、シール４ｂは、飲み口５の方向が特定できるように、外周横方向のシール４ｂが形成されない範囲よりも狭い一定範囲に貼着される。また、シール４ｂの材質は、触感が良好な軟質のものが良い。
【００１７】
　このように形成することにより、例えば、本考案の飲料用缶１ｂのプルタブ７を人指で引き起こして飲み口蓋６を開封し、左手で通常の方法で把持した際に、飲料用缶１ｂを外周側面３横方向に回転させることにより、シール４ｂを、少なくとも、掌、親指、人差し指、中指、薬指、小指のいずれかで感知することができる。通常の把持方法であれば、親指側に飲み口５を向けて使用する。シール４ｂは飲み口５側に形成されているので、シール４ｂに形成された凸部４ｃを親指で感知する位置まで、飲料用缶１ｂを外周側面３横方向に回転させる。このようにして、親指側に飲み口５が向くように操作すれば、目の不自由な人や、暗夜・暗所などの場合に飲み口５が視認不可能でも、また、車両の運転中に視線を飲料用缶１の方へ移すことなく、飲料用缶１を把持した手だけで飲み口５の位置が確認できる。
【００１８】
　本実施例１、２、３においては、突条４、突起４ａ、シール４ｂを飲料用缶１、１ａ、１ｂの飲み口５側に配置したが、飲み口５と反対側（プルタブ７側）に配置しても構わない。飲み口５の方向が飲料用缶１、１ａ、１ｂを把持した際に特定できるように、飲料用缶１、１ａ、１ｂの外周の一定範囲内の上下方向に、突条４、又は、突起４ａ、又は、シール４ｂが配置されればよい。
【００１９】
　尚、本考案に係る飲料用缶は、本実施例に示したようなアルミニウム製の缶に限定されず、スチール製の缶にも適用できる。また、突条、又は、突起、又は、シールを貼着して使用する場合は、既存の飲料用缶を何ら変形・改良することなく、本考案が実施可能であり、また、剥離可能に貼着すれば、缶と異質の材質を使用しても、缶の使用後に簡単に分別することができる。
【図面の簡単な説明】
【００２０】
【図１】本考案に係る実施例１の飲料用缶の斜視図である。
【図２】本考案に係る実施例２の飲料用缶の斜視図である。
【図３】本考案に係る実施例３の飲料用缶の斜視図である。
【符号の説明】
【００２１】
　１、１ａ、１ｂ　飲料用缶
　２　　　　　　　飲料缶本体
　３　　　　　　　外周側面
　４　　　　　　　突条
　４ａ　　　　　　突起
　４ｂ　　　　　　シール
　４ｃ　　　　　　凸部
　５　　　　　　　飲み口（注ぎ口）
　６　　　　　　　飲み口蓋
　７　　　　　　　プルタブ
　８　　　　　　　缶蓋
　９　　　　　　　缶底
【図１】
0003100147.tif 000003
【図２】
0003100147.tif 000004
【図３】
0003100147.tif 000005